(57)【要約】【課題】  蓋パネルの開閉を確実にして、記録媒体の収納・保管を確実にする。【解決手段】  一体に形成されて互いに折り曲げることにより閉じるようにされた支持パネル１ａと蓋パネル１ｂとからなり、該支持パネル１ａに形成したポケット６に、記録媒体を収納・保管する記録媒体パッケージにおいて、前記支持パネル１ａと前記蓋パネル１ｂの間に縦方向に多数のミシン目を有する起立面（リード）４を介在し、前記蓋パネル１ｂを閉じたときに、台紙２の内側に向って起立する三角形状断面の起立面４が形成されて、より確実に前記支持パネル１ａに前記蓋パネル１ｂが密着して閉じるようにした、記録媒体用パッケージに関する。【選択図】  図４
2008050044.tif 000002
【特許請求の範囲】
【請求項１】
一体に形成され、互いに折り曲げることにより閉じるようにされた支持パネルと蓋パネルとからなり、かつ、該支持パネルに形成したポケットに、記録媒体を収納・保管する記録媒体パッケージにおいて、前記支持パネルと前記蓋パネルの間にミシン目を有する起立面を介在し、前記蓋パネルを閉じたときに、三角形状断面の起立面が形成されて、より確実に前記支持パネルに前記蓋パネルが密着して閉じられるようにした、記録媒体用パッケージ。
【請求項２】
前記支持パネルと前記蓋パネルとを折曲げ部を介して連接した厚紙からなる台紙に、前記台紙の内側に記録媒体を収納・保管するポケットと前記両パネルの中央部に前記ミシン目を有する起立面をもつポケット付裏貼り紙を貼着した請求項１に記載の記録媒体用パッケージ。
【請求項３】
前記記録媒体が、ＣＤディスクである請求項１に記載の記録媒体用パッケージ。
【請求項４】
前記記録媒体が、ＤＶＤである請求項１に記載の記録媒体用パッケージ。
【請求項５】
前記パッケージが、紙製である請求項１に記載の記録媒体用パッケージ。
【発明の詳細な説明】
【技術分野】
【０００１】
本発明は、ＣＤ、ＤＶＤ等の音楽・映像記録媒体用を収納・保管するのに用いるパッケージに関する。
【背景技術】
【０００２】
従来、記録媒体、例えば、１２０ｍｍ径のドーナツ形のプラスチック円板からなるＣＤディスクを収納・保管するのに、主として紙製のパッケージが用いられていた。
【０００３】
例えば、この種のＣＤディスク用紙製パッケージ２０は、図９に示すように、支持パネル２１と、この支持パネル２１に連接し、ＣＤを収納するように、その先端を折曲げられた底パネル２２と、底パネル２２の両側に連接して折曲げられた一対のサイドパネル２４と、起立面２６を介在して底パネル２２に連接された底パネル２２とほぼ同じ大きさの蓋パネル２３とから構成される。また、蓋パネル２３を閉じたときに、ＣＤディスク等を圧迫しないため、一対の切り込み２５を蓋パネル２３の両側に連接された一対のサイドパネル２４の下端に設けてある。
【０００４】
このようにして構成された従来のＣＤ用紙製パッケージ２０では、底パネル２２のポケット部にＣＤディスクを収納し、起立面２６を介して折り曲げて蓋パネル２３を閉じてＣＤディスクを保管する。
【０００５】
しかしながら、このような構成のＣＤ用紙製パッケージ２０では、起立面２６の折り曲げに対する復元力により容易に蓋パネル２３が開いてしまい、より完全なＣＤディスクの収納・保管ができないとする問題点があった。
【特許文献１】特開２０００−７０７４号公報
【発明の開示】
【発明が解決しようとする課題】
【０００６】
本発明が解決しようとする問題点は、支持パネルと蓋パネルの間に介在する折り曲げられた起立面の復元力による蓋パネルの起き上りにより、蓋パネルが完全に閉じず、ＣＤディスクの保管が確実に収納できない点である。
【課題を解決するための手段】
【０００７】
本発明の記録媒体用パッケージでは、蓋パネルを完全に閉じるため、パッケージの起立面に断面三角形状の起立面（リード）を設けて、蓋パネルを完全に閉じるようにしたことを特徴とする。
【発明の効果】
【０００８】
本発明の記録媒体用パッケージによれば、ＣＤディスク及び冊子等をポケット内に完全に収納して、確実に保管できる利点がある。
【発明を実施するための最良の形態】
【０００９】
図１と図２に示すように、本発明の記録媒体、例えば、１２０ｍｍ径の円板状ＣＤディスクを収納・保管する支持パネル１ａと蓋パネル１ｂとからなる紙製（プラスチック等の他の材料でもよい）のパッケージ１は、厚紙からなる台紙２と、この台紙２の内側に接着剤等で貼着した同じく厚紙からなるポケット付裏貼り紙３とからなる。さらに、縦方向に多数のミシン目５を形成したリード（起立面）４を介して二分される裏貼り紙３の一方の面には、ＣＤディスクを収納する円形のポケット６が、また、他方の面には、冊子等を収納するための袋状ポケット７が形成されている。
【００１０】
とくに、本発明の紙製パッケージ１では、その側面を示す図３（ａ）と、そのＡ矢視部の拡大図である図３（ｂ）に示すように、台紙２の内側に貼着する裏貼り紙３の中央折り曲げ個所に、裏貼り紙３を台紙２に貼着したとき、断面三角形状に起立するミシン目５を形成したリード（起立面）４を設けて、支持パネル１ａに対して蓋パネル１ｂが密着するように閉じて、ＣＤディスクの収納・保管を確実にするように構成してある。ここで、断面三角形状に内側に向ってリード４を起立させるため、リード４の裏面は、台紙２に貼着されていない。
【００１１】
本発明の紙製パッケージ１を使用する際には、図４の斜視図に示すように、支持パネル１ａ側に貼着した裏貼り紙３の円形ポケット６にＣＤディスクを嵌入して収納し、また、必要に応じて蓋パネル１ｂ側に設けた別のポケット７（図１参照）に歌詞等を印刷した冊子等の表紙を挿入して収納し、蓋パネル１ｂを閉じてＣＤディスクを確実に収納・保管するようにしてある。
【００１２】
とくに、本発明の紙製パッケージ１では、裏貼り紙３の中央折り曲げ個所に形成したミシン目５付きリード４の台紙２の内側に三角形状に起立する働きにより、支持パネル１ａに対して、蓋パネル１ｂを密接するだけで、蓋パネル１ｂの自重により確実に蓋パネル１ｂを閉じることが可能となる。
【００１３】
また、本発明の紙製パッケージ１を構成する台紙２は、図５と図６に示すように、支持パネル側の厚紙９ａと蓋パネル側の厚紙９ｂとを所定の間隔Ｗを設けるように離間させて配置し、間隔Ｗの間に一対の切欠き部１１が形成されるように、それよりも巾の小さい厚紙からなる背口紙１０を配置し、上貼り紙８で、厚紙９ａ，９ｂ及び背口紙１０を被って台紙２を構成する。ここで、間隔Ｗは、裏貼り紙３に形成したポケット７（図１参照）に挿入する冊子等の厚みを考慮して決定する。
【００１４】
さらに、本発明の紙製パッケージ１を構成する裏貼り紙３は、図７と図８に示すように、高密度の厚紙を用い、図７（ａ）に示すように、支持パネル３ａ側に、ＣＤディスクを挿入して収納する円形のＣＤポケット６ａと、その両側に形成した一対の開口部６ｂ，６ｂからなる。これらのポケット６ａと開口部６ｂは、円形ポケット６ａを形成した後、図７（ｂ）に示すように厚紙を折り曲げて開口部６ｂを形成する。また、開口部６ｂの右端部とリード４の一対の折れ線４ａとの間に逃げ溝４ｂを形成する。
【００１５】
他方、蓋パネル３ｂ側には、図７（ａ）の右側に示すように、一対のサイドパネル３ｃを蓋パネル３ｂの上下端を折り曲げて形成して、図７（ｃ）に示すように、冊子等の表紙を挿入できるポケット７が形成されるように構成する。
【００１６】
また、前述したように、ポケット付裏貼り紙３の中央部折り曲げ部に、ミシン目５を縦方向に多数形成し、その両側に所定の間隔をおいて、折れ線４ａを形成したリード（起立面）４を形成する。ここで、台紙２に裏貼り紙３の支持パネル３ａと蓋パネル３ｂをリード４を除いて貼着し、紙製パッケージ１を構成し、パッケージ１の蓋パネル１ｂを閉じた際に断面三角形状に台紙２の内側に起立する起立面が形成されて、支持パネル１ａに蓋パネル１ｂが確実に密着して閉じるようにする。
【産業上の利用可能性】
【００１７】
本発明の記録媒体用パッケージは、音楽用ＣＤ、映像用ＤＶＤに限らず、広く円板状の記録媒体の確実な収納・保管に利用できる。
【図面の簡単な説明】
【００１８】
【図１】本発明の記録媒体用パッケージの正面図である。
【図２】図１に示した本発明のパッケージの背面図である。
【図３】図１に示した本発明のパッケージが、ほぼ９０°開いた状態を示す側面図であって、図３（ａ）はその全体図を、また図３（ｂ）は図３（ａ）に示すＡ矢視部の拡大図を示す。
【図４】本発明の記録媒体用パッケージにＣＤを収納した状態を示す斜視図である。
【図５】図１に示した本発明のパッケージに用いる台紙の正面図である。
【図６】図５に示した台紙の背面図である。
【図７】図７（ａ）は、図１に示した本発明のパッケージに用いるポケット付裏貼り紙の正面図、図７（ｂ）は、図７（ａ）に示すＢ−Ｂ矢視断面図、図７（ｃ）は、図７（ａ）に示すＣ−Ｃ矢視断面図である。
【図８】図７に示したポケット付裏貼り紙の背面図である。
【図９】従来のＣＤ用紙製パッケージの斜視図である。
【符号の説明】
【００１９】
１  ＣＤパッケージ
１ａ  支持パネル
１ｂ  蓋パネル
２  台紙
３  ポケット付裏貼り紙
４  リード（起立面）
５  ミシン目
６  ＣＤ用ポケット
７  冊子用ポケット
８  上貼り紙
９  厚紙
１０  背口紙
１１  切欠き部
【図１】
2008050044.tif 000003
【図２】
2008050044.tif 000004
【図３】
2008050044.tif 000005
【図４】
2008050044.tif 000006
【図５】
2008050044.tif 000007
【図６】
2008050044.tif 000008
【図７】
2008050044.tif 000009
【図８】
2008050044.tif 000010
【図９】
2008050044.tif 000011